(57)【要約】【課題】ドラムとフレーム間へのホースの巻き込みを防止することができるホースリールを提供する。【解決手段】本体ケース１１内に、ホース１４を巻き取る為のドラム１５を回動自在に支持する。ドラム１５を、ホース１４が巻かれる胴部１７と、胴部１７の両端部側に設けられた鍔部１８で構成し、両鍔部１８間にホース１４の巻取位置１９を設定する。本体ケース１１にホース１４が挿通する出入口３３を設け、出入口３３を、ドラム１５の両鍔部１８間に設定された巻取位置１９に対向する部位に配置する。出入口３３の幅寸法Ｈ１を、ドラム１５の一方の鍔部１８から他方の鍔部１８までの寸法Ｈ２以下に設定する。【選択図】図７
2006312556.tif 000002
【特許請求の範囲】
【請求項１】
胴部の両端側に鍔部を有したドラムがフレームに回動自在に支持されたホースリールにおいて、
前記フレームを前記ドラムが収容される形状に形成し、前記ドラムの両鍔部間の巻取位置に対向する前記フレームの部位にホースの出入口を設けるとともに、該出入口の幅寸法を、前記ドラムの一方の鍔部から他方の鍔部までの寸法以下に設定したことを特徴とするホースリール。
【請求項２】
胴部の両端側に鍔部を有したドラムがフレームに回動自在に支持されたホースリールにおいて、
前記両鍔部間の寸法を、前記鍔部の直径寸法の４０％から６０％の間に設定したことを特徴とするホースリール。
【発明の詳細な説明】
【技術分野】
【０００１】
本発明は、ホースを巻き取るホースリールに関する。
【背景技術】
【０００２】
従来、散水用のホースを巻き取る際には、ホースリールが用いられていた。
【０００３】
該ホースリールは、フレームと、該フレームに回動自在に支持されたドラムからなり、前記フレームは、左右の側板と、両側板を連結するパイプ材とによって構成されている。
【０００４】
また、前記ドラムは、ホースが巻き付けられる胴部と、該胴部の両端部に設けられた鍔部とによって形成されている。
【発明の開示】
【発明が解決しようとする課題】
【０００５】
しかしながら、このようなホースリールにあっては、ホースの巻取り方向が開放されており、ドラムとフレームとの間にホースが巻き込まれ易かった。
【０００６】
本発明は、このような従来の課題に鑑みてなされたものであり、ドラムとフレーム間へのホースの巻き込みを防止することができるホースリールを提供することを目的とするものである。
【課題を解決するための手段】
【０００７】
前記課題を解決するために本発明の請求項１のホースリールにあっては、胴部の両端側に鍔部を有したドラムがフレームに回動自在に支持されたホースリールにおいて、前記フレームを前記ドラムが収容される形状に形成し、前記ドラムの両鍔部間の巻取位置に対向する前記フレームの部位にホースの出入口を設けるとともに、該出入口の幅寸法を、前記ドラムの一方の鍔部から他方の鍔部までの寸法以下に設定した。
【０００８】
すなわち、ドラムの両鍔部間の巻取位置に対向するフレームの部位には、ホースの出入口が設けられており、ドラムに巻き取られるホースは、この出入口を介して移動する。
【０００９】
そして、この出入口の幅寸法は、前記ドラムの一方の鍔部から他方の鍔部までの寸法以下に設定されている。このため、前記出入口を介してフレーム内へ収容されるホースは、前記ドラムの両鍔部間に案内される。
【００１０】
また、他の例としてのホースリールにおいては、前記フレームを前記ドラムが収容されるケース状に形成した。
【００１１】
すなわち、ドラムを回動自在に支持するフレームは、前記ドラムを収容するケース状に形成されており、前記ドラムの両鍔部間の巻取位置に対向する当該フレームの部位にホースの出入口が設けられ、ドラムに巻き取られるホースは、この出入口を介して移動する。
【００１２】
そして、この出入口の幅寸法は、前記ドラムの一方の鍔部から他方の鍔部までの寸法以下に設定されている。このため、前記出入口を介してフレーム内へ収容されるホースは、前記ドラムの両鍔部間に案内される。
【００１３】
さらに、他の例としてのホースリールでは、前記出入口の幅寸法を上方へ向かうに従って小さくなるように設定した。
【００１４】
好ましくは、前記出入口の上部側の開口縁を、中央部が上方へ突出するアーチ状に形成する。
【００１５】
すなわち、ドラムにホースを巻き取る際に、ホースがドラム端部の鍔部側に集中して巻き取られることがある。しかし、ホースが移動する前記出入口の幅寸法は上方へ向かうに従って小さくなるように設定されており、好ましくは、この出入口の上部側の開口縁は、中央部が上方へ突出するアーチ状に形成されている。
【００１６】
このため、ドラムの端部に集中して巻き付けられたホースは、所定量積層された際に、当該出入口の開口縁、好ましくはアーチ状の開口縁に沿って中心側へ案内される。
【００１７】
加えて、他の例としてのホースリールにあっては、前記開口縁がアーチ状となる起点を、前記ドラムの回転中心から前記鍔部の最も高い位置までの間に設定した。
【００１８】
これにより、ドラム端部の鍔部側に集中して巻き取られるホースは、前記鍔部の最も高い位置に到達する前に、アーチ状の開口縁に沿って中心側へ案内される。
【００１９】
また、本発明の請求項２のホースリールにあっては、胴部の両端側に鍔部を有したドラムがフレームに回動自在に支持されたホースリールにおいて、前記両鍔部間の寸法を、前記鍔部の直径寸法の４０％から６０％の間に設定した。
【００２０】
すなわち、ホースが巻かれるドラムは、胴部の両端側に設けられた鍔部間の寸法が、鍔部の直径寸法の４０％から６０％の間に設定されており、このようなドラムにホースを巻き付けた場合、ホースが一方の鍔部側に片寄って巻き付けられても、内側に崩れが生じる。このため、前記ホースは、このドラムに巻かれることによって、前記両鍔部間に案内される。
【００２１】
ここで、ドラムの鍔部間の寸法は、小さくすることでホースの巻き取り易さを向上することができるが、鍔部間の寸法を小さくしすぎると、ドラムが細くなり倒れやすくなる。そこで、ドラムの鍔部間の寸法を、鍔部の直径寸法の４０％から６０％の間に設定することで、これらを両立させることができるということを、実験を繰り返し行うことで発見するに至った。
【００２２】
このため、ドラムの鍔部間の寸法が、鍔部の直径寸法の４０％から６０％の間に設定された本発明では、ドラムの倒れにくさを犠牲にすること無く、巻き取りやすさの向上が図られる。
【発明の効果】
【００２３】
以上説明したように、本発明の請求項１のホースリールにあっては、フレームに設けられた出入口の幅寸法は、ドラムの一方の鍔部から他方の鍔部までの寸法以下に設定されており、前記出入口を介してフレーム内へ収容されるホースを、前記ドラムの両鍔部間に案内することができる。
【００２４】
したがって、ホースの巻取り方向が開放されていてドラムとフレーム間にホースが巻き込まれ易かった従来と比較して、ドラムとフレーム間へのホースの巻き込みを防止することができる。
【００２５】
特に、他の例としてのホースリールのように、フレームがケース状に形成され、ドラムとフレーム間にホースが巻き込まれた際に、巻き込まれたホースの取り出しが困難となる場合であっても、巻き込みに起因した問題点の発生を回避することができる。
【００２６】
また、他の例としてのホースリールにおいては、ホースがドラム端部の鍔部側に集中して巻き付けられた場合であっても、所定量積層された時点で出入口の開口縁部又はアーチ状の開口縁部に沿って中心側へ案内することができる。
【００２７】
これにより、ホースがドラムの端部に集中して巻き取られるといった巻乱れを防止することができ、ホースの巻取り状態を均等にすることができる。
【００２８】
よって、巻乱れにより生じ得る重心の偏りを防止することができる。また、設計時に設定された容量のホースをドラムに巻き取ることができる。
【００２９】
さらに、他の例としてのホースリールでは、前記開口縁がアーチ状となる起点を、前記ドラムの回転中心から前記鍔部の最も高い位置までの間に設定したので、ドラム端部の鍔部側に集中して巻き取られたホースを、前記鍔部の最も高い位置に到達する前に、アーチ状の開口縁に沿って中心側へ案内することができる。
【００３０】
また、本発明の請求項２のホースリールにあっては、ドラムの鍔部間の寸法を、鍔部の直径寸法の４０％から６０％の間に設定したため、このドラムに巻かれるホースを、前記両鍔部間に案内することができる。したがって、ドラムからのホースの離脱に起因した不具合を未然に防止することができる。
【００３１】
また、鍔部側に片寄って巻かれたホースを内側に崩すことができるため、巻取り時の安定を図ることができる。そして、ドラムの鍔部間の寸法を、鍔部の直径寸法の４０％から６０％の間に設定することで、ホースが巻き取りやすく、倒れにくいホースリールとなり得る。
【発明を実施するための最良の形態】
【００３２】
（第１の実施の形態）
【００３３】
以下、本発明の一実施の形態を図に従って説明する。図１は、本実施の形態にかかるホースリール１を示す図であり、該ホースリール１は、散水用のホースを巻き取る際に使用されるものである。
【００３４】
このホースリール１は、フレームを構成する矩形状の本体ケース１１を備えており、該本体ケース１１の幅寸法Ｃ１は、２２０ｍｍに設定されている。また、本体ケース１１の奥行きＣ２は、３７５ｍｍに設定されており、高さ寸法Ｃ３は、３９４．８ｍｍに設定されている。
【００３５】
この本体ケース１１は、図２にも示すように、上方に開口した矩形容器状の下部構成部材としての下部容器１２と、下方に開口した矩形容器状の上部構成部材である上部容器１３とが端縁にて図外のタッピンネジで結合されて形成されている。この本体ケース１１の内部空間Ｋには、図３に示すように、直径ＨＤが１６．４ｍｍのホース１４を巻き取る為のドラム１５が収容されている。
【００３６】
前記ホース１４は、肉厚ＨＴが２．２ｍｍに設定されており、その内径ＨＩが１２ｍｍに設定されている。また、外周面には、長さ方向に延在する複数の突条２０，・・・が全長に渡って形成されている。
【００３７】
前記ドラム１５は、ホース挿通穴１６を貫通したホース１４が巻かれる円筒状の胴部１７と、該胴部１７の両端部側に設けられた鍔部１８，１８とによって構成され、両鍔部１８，１８間にホース１４の巻取位置１９が設定されている。
【００３８】
このドラム１５は、２５ｍのホース１４を巻き取れる容量に設定されている。また、このドラム１５に巻き取られる前記ホース１４の長さ寸法は、その８０％である２０ｍに設定されている。これにより、大径のドラムを用いた場合と比較して、部材コストを抑えつつ、ホース１４を巻き取れるように設計されている。また、高さ寸法Ｃ３を抑えることで、倒れにくい本体ケース１１を実現している。
【００３９】
なお、ドラム１５に巻かれるホース１４の長さは、ドラム１５の容量に対して８０％以下にすることが望ましい。
【００４０】
具体的に鍔部１８，１８の直径ＤＤは、２８０ｍｍに設定されており、両鍔部１８，１８間の寸法Ｈ２は、１４４ｍｍに設定されている（図７参照）。つまり、前記両鍔部１８，１８間の寸法Ｈ２は、前記鍔部１８，１８の直径ＤＤの寸法の４０％から６０％、すなわち１１２ｍｍ〜１６８ｍｍの間に設定されている。
【００４１】
ここで、このドラム１５の鍔部１８，１８間の寸法Ｈ２は、小さくすることでホース１４の巻き取り易さを向上することができるが、鍔部１８，１８間の寸法Ｈ２を小さくしすぎると、ドラム１５が細くなり倒れやすくなる。そこで、ドラム１５の鍔部１８，１８間の寸法Ｈ２を、鍔部１８，１８の直径ＤＤの寸法の４０％から６０％の間に設定することで、これらを両立させることができるということを、実験を繰り返し行うことにより発見するに至った。このため、本実施の形態では、ドラム１５の鍔部１８，１８間の寸法Ｈ２を、鍔部１８，１８の直径ＤＤの寸法の４０％から６０％の間である１４４ｍｍに設定した。
【００４２】
なお、他のバリエーションとして、このドラム１５の鍔部１８，１８間の寸法Ｈ２が１７１ｍｍ、鍔部１８，１８の直径ＤＤの寸法が３４０ｍｍ、すなわち前記両鍔部１８，１８間の寸法Ｈ２が、前記鍔部１８，１８の直径ＤＤの寸法の４０％から６０％の間に設定されたものが用意されている。このドラム１５にあっては、巻き取れるホース１４の容量は３８ｍであり、当該ドラム１５に巻かれるホース１４の長さは、その８０％以下である３０ｍに設定されている。
【００４３】
前記上部容器１３の天面２１は、図１及び図５に示すように、矩形状に形成されており、平坦に形成されている。また、当該天面２１は、他のホースリールの本体ケース１１を積載できる広さに設定されており、積載部を構成している。
【００４４】
この天面２１には、コ字状に没入した凹部２２が形成されており、該凹部２２内には、コ字状の取っ手２３が配設されている。該取っ手２３は、自由端部を構成する握持部２４と、該握持部２４の両端から延出した延出部２５，２５とによってコ字状に形成されており、図６に示すように、両延出部２５，２５の先端に設けられた回動軸２６，２６を介して、前記上部容器１３に回動自在に支持されている。これにより、前記取っ手２３を、前記凹部２２内に収容した傾倒状態２７と起立した起立状態２８との間で回動できるように構成されている。
【００４５】
この取っ手２３の前記延出部２５，２５は、前記起立状態２８において、前記凹部２２の上縁部が構成する当接部２９に当接して回動が規制されるように構成されており、該当接部２９は、前方側に傾斜した傾斜面によって構成されている。この起立状態２８において、前記取っ手２３が前記傾倒状態２７から９０度を超えた所定角α、具体的には１０９度傾斜した状態で回動規制されるように構成されている。これにより、傾倒状態２７の取っ手２３を起立状態２８へ移行する際には、前記取っ手２３の自由端部を構成する前記握持部２４が前記回動軸２６が構成する回動中心上部を通過した後、前記延出部２５，２５が前記当接部２９に当接した状態で前方側に傾斜して停止するように構成されている。
【００４６】
前記上部容器１３の前面３１であって、前記ドラム１５に巻き取られるホース１４の移動経路上には、図７にも示すように、該ホース１４を案内するガイド部３２が設けられている。該ガイド部３２は、前記ホース１４が挿通する出入口３３を備えてなり、該出入口３３は、前記ドラム１５の両鍔部１８，１８間に設定された前記巻取位置１９に対向する部位に設けられている。
【００４７】
前記出入口３３の幅寸法Ｈ１は、前記ドラム１５の一方の鍔部１８から他方の鍔部１８までの寸法Ｈ２以下に設定されている。具体的に、前記出入口３３において、最も大きな下端での幅寸法Ｈ１は、１３４ｍｍ〜１５４ｍｍの間に設定されており、前記ドラム１５の両鍔部１８，１８間の寸法Ｈ２である１４４ｍｍ以下に設定することが望ましく、本実施の形態では１４４ｍｍ未満に設定する。また、当該出入口３３で最も大きな中央部での高さ寸法Ｈ３は、１００ｍｍに設定されている。
【００４８】
なお、本実施の形態では、前記出入口３３の幅寸法Ｈ１を、ドラム１５の両鍔部１８，１８の寸法Ｈ２未満に設定したが、同寸法であっても良い。
【００４９】
なお、前記出入口３３の幅寸法Ｈ１と両鍔部１８，１８の寸法Ｈ２との関係は、これに限定されるものでは無く、前記幅寸法Ｈ１は、前記寸法Ｈ２以下であって、該寸法Ｈ２の２／３以上であることが望ましい。
【００５０】
この出入口３３の上部開口縁は、前記ホース１４の上方への逃げを阻止する上方規制部３４を構成している。該上方規制部３４は、巻き取られる前記ホース１４の移動方向Ｉと交差する方向に延在しており（図１参照）、当該上方規制部３４は、中央部が上方へ向けて突出したアーチ状に形成されている。
【００５１】
前記出入口３３の開口縁がアーチ状となる起点Ｓは、当該出入口３３の下縁の高さ位置に設定されており、前記ドラム１５の回転中心ＤＣから前記鍔部１８，１８の最も高い最高位置ＤＳまでの間に設定されている。これにより、前記出入口３３の幅寸法Ｈ１は、下縁から上方へ向かうに従って小さくなるように形成されている。
【００５２】
なお、前記上方規制部３４が出入口３３の上部開口縁によって形成された場合を例に挙げて説明したが、これに限定されるものでは無く、例えば長尺状の部材をアーチ状に湾曲したもので構成しても良い。
【００５３】
また、前記出入口３３の下部開口縁が開放されたものであっても良い。
【００５４】
この上方規制部３４には、図６に示したように、その全域に渡って庇部３５が形成されており、該庇部３５は、本体ケース１１の外側へ向けて突出している。当該上方規制部３４において、最も高い部位での高さ位置は、前記本体ケース１１に支持された前記ドラム１５の鍔部１８で最も高い部位より低くなるように設定されており、前記上方規制部３４で最も高い部位と前記鍔部１８で最も高い部位との間には、ホース巻取り時の余裕代Ｙが設定されている。
【００５５】
前記出入口３３の下部開口縁は、図７に示したように、直線状に形成されており、前記ホース１４の移動経路上には、前記ホース１４の横方向への移動を自在とする下方規制部３６が形成されている。これにより、前記出入口３３は、円弧部分が上方に位置した半円形状に形成されている。
【００５６】
前記出入口３３の開口縁部を構成する前記下方規制部３６は、図６に示したように、一般部３７より厚肉に形成されており、厚肉部３８を構成している。この厚肉部３８での断面形状は、前記出入口３３の中心へ向けて突出する円弧状に形成されており、当該出入口３３を移動するホース１４が線接触するように構成されている。
【００５７】
前記上部容器１３の左右側面４１，４２の下端と前記下部容器１２の左右側面４３，４４の上端との接合部分には、図１及び図７に示したように、両者を接合した状態で円形を成す側方に膨出した膨出部４５，４５が形成されており、両膨出部４５，４５間には、図３に示したように、前記ドラム１５の鍔部１８，１８から突出した胴部１７の端部が回動自在に支持されている。これら膨出部４５，４５の中央には、円形穴４６，４６が設けられており、左方に設けられた前記膨出部４５の円形穴４６には、前記ドラム１５を回動する為のクランク状のハンドル４７の軸４８が挿通している。
【００５８】
また、右方に設けられた前記膨出部４５の円形穴４６には、蛇口側のホースが接続される接続プラグ５１が挿通されており、該接続プラグ５１には、ドラム１５に巻かれたホース１４が接続されるパイプ部材５２の一端が接続されている。これにより、蛇口からの水道水を、前記接続プラグ５１を介して前記パイプ部材５２へ供給するとともに、該パイプ部材５２を介してドラム１５に巻かれた散水側のホース１４に供給できるように構成されている。
【００５９】
前記膨出部４５，４５が形成された前記上部及び下部容器１２，１３の左右側面４１，４２，４３，４４には、図１に示したように、上下に延在する帯状部５５，５５が前記ドラム１５の支持位置である前記膨出部４５，４５の上部及び下部に設けられている。この帯状部５５，５５は、上下に延在する複数の突条５６，・・・と凹溝５７，・・・とが交互に形成されてなり、波形に形成されている。これにより、この帯状部５５，５５は、平板状の左右側面４１，４２，４３，４４を補強するとともに、前記ドラム１５を支持する支柱として機能するように構成されている。
【００６０】
前記下部容器１２の底面６１には、図８に示すように、矩形状の底面開口部６２が開設されており、本体ケース１１は、この底面開口部６２を介して外部に連通している。
【００６１】
また、前記底面６１には、横長の脚固定部材６５，６５が前面３１側及び後面６８側の各縁部に沿ってネジ止めされている。両脚固定部材６５，６５の両端部には、図９に示すように、十字状の軸部６６，６６が互いに対向する方向へ突設されており、対向した軸部６６，６６には、同形状に形成された脚部６７，６７が回動自在に支持されている。
【００６２】
この脚部６７の両端部には、前記軸部６６，６６に外嵌する円筒部７１，７１が基端部７２に形成されており、この円筒部７１には、先端へ向けて延出する上面部７３が一体形成されている。前記両脚部６７，６７は、前記円筒部７１，７１を中心に回動することによって、図１０に示すように、両脚部６７，６７の先端が前記本体ケース１１の下部に配置され両脚部６７，６７が前記底面開口部６２の下部に配置された折り畳み状態７４と、図１に示したように、両脚部６７，６７の先端が本体ケース１１より側方へ延出し、かつ前記本体ケース１１の底面６１に当接して（図９参照）回動が規制された展開状態７５とを任意に形成できるように構成されている。
【００６３】
これにより、展開状態７５において、本体ケース１１の起立状態の安定化を図れるように構成されており、前記折り畳み状態７４にあっては、底面６１に開設された前記底面開口部６２を前記脚部６７，６７によって閉鎖できるように構成されている。
【００６４】
前記上面部７３は、一方の脚部６７を他方の脚部６７に先行して折り畳んで図１１に示した折り畳み状態７４を形成した際に、両脚部６７，６７の基端部７２，７２より先端側が重なる長さに形成されており、その裏面には、複数のリブ８１，・・・と、その両側縁から延出したフランジ８２，８２とが一体形成されている。このフランジ８２，８２及び前記リブ８１，・・・の高さ寸法は、図９にも示したように、基端部７２から先端へ向かうに従って低くなるように設定されており、各脚部６７の厚み寸法は、前記本体ケース１１に軸支された基端部７２から先端へ向かうに従って薄肉になるように設定されている。
【００６５】
さらに、両脚部６７，６７は、図１０に示したように、前記折り畳み状態７４にて重なり合う全域での厚み寸法の和が、両脚部６７，６７で最も厚い基端部７２での厚み寸法以下となるように、前記重合部８３での厚み寸法が設定されており、前記折り畳み状態７４において、両脚部６７，６７が、前記脚部固定部材６５の下面より上方に位置するように構成されている。
【００６６】
そして、図６に示したように、前記本体ケース１１の下部容器１２の内側面９１には、二本のリブ９２，９２が底面６１から上部開口部へ向けて延設されており、前記本体ケース１１の上部容器１３の内側面９３にも、二本のリブ９４，９４が天面２１から下部開口部へ向けて延設されている。つまり、これらのリブ９２，９２，９４，９４は、前記各容器１２，１３を樹脂成形する際の型抜き方向に延設されている。
【００６７】
各リブ９２，９２，９４，９４の高さ寸法Ｈは、図３に示したように、各内側面９１，９３から前記ドラム１５の鍔部１８までの離間距離Ｒ以上に設定されており、図６に示したように、各リブ９２，９２，９４，９４の長さ寸法は、その先端が前記鍔部１８に近接する長さに設定されている。
【００６８】
以上の構成にかかる本実施の形態において、ホースリール１のドラム１５を回動自在に支持するフレームとしての本体ケース１１は、前記ドラム１５を収容するケース状に形成されており、前記ドラム１５の両鍔部１８，１８間の巻取位置１９に対向する当該本体ケース１１の部位にホース１４の出入口３３が設けられ、ドラム１５に巻き取られるホース１４は、この出入口３３を介して移動する。
【００６９】
そして、この出入口３３の横方向の幅寸法Ｈ１は、前記ドラム１５の一方の鍔部１８から他方の鍔部１８までの寸法Ｈ２以下に設定されている。このため、前記出入口３３を介して本体ケース１１内へ収容されるホース１４を、前記ドラム１５の両鍔部１８，１８間に案内することができる。
【００７０】
したがって、ホース１４の巻取り方向が開放されていてドラム１５とフレーム間にホース１４が巻き込まれ易かった従来と比較して、ドラム１５と本体ケース１１内面間へのホース１４の巻き込みを防止することができる。
【００７１】
特に、本実施の形態のように本体ケース１１がケース状に形成されドラム１５と本体ケース１１間にホース１４が巻き込まれた際に、巻き込まれたホース１４の取り出しが困難となる場合であっても、巻き込みに起因した問題点の発生を回避することができる。
【００７２】
また、ホース１４が巻かれるドラム１５は、胴部１７の両端側に設けられた鍔部１８，１８間の寸法Ｈ２が、鍔部１８，１８の直径ＤＤ寸法の４０％から６０％の間に設定されており、このようなドラム１５にホース１４を巻き付けた場合、ホース１４が一方の鍔部１８側に片寄って巻き付けられても、内側に崩れが生じる。このため、前記ホース１４を、このドラム１５に巻き取ることにより、前記両鍔部１８，１８間に案内することができる。これにより、ドラム１５からのホース１４の不用意な離脱を防止することができる。
【００７３】
よって、ドラムとフレーム間にホースが巻き込まれ易かった従来と比較して、ドラム１５と本体ケース１１内面間へのホース１４の巻き込みを防止することができる。また、一方の鍔部１８側に片寄って巻かれたホース１４を内側に崩すことができるため、巻取り時の安定を図ることができる。
【００７４】
そして、ドラム１５の鍔部１８，１８間の寸法Ｈ２を、鍔部１８，１８の直径ＤＤの寸法の４０％から６０％の間に設定することで、ホース１４が巻き取りやすく、倒れにくいホースリール１となり得る。
【００７５】
また、ドラム１５にホース１４を巻き取る際に、ホース１４がドラム１５端部の鍔部１８側に集中して巻き取られることがある。しかし、ホース１４が移動する前記出入口３３の上部側の開口縁は、その幅寸法Ｈ１が上方へ向かうに従って狭くなるように設定されるとともに、中央部が上方へ突出するアーチ状に形成されている。
【００７６】
このため、ドラム１５の端部に集中して巻き付けられたホース１４は、所定量積層された際に、アーチ状の開口縁に沿って中心側へ案内される。
【００７７】
このように、ホース１４がドラム１５端部の鍔部１８側に集中して巻き付けられた場合であっても、所定量積層された時点でアーチ状の開口縁部に沿って中心側へ案内することができる。これにより、ホース１４がドラム１５の端部に集中して巻き取られるといった巻乱れを防止することができ、ホース１４の巻取り状態を均等にすることができる。よって、巻乱れにより生じ得る重心の偏りを防止することができる。
【００７８】
さらに、前記出入口３３の開口縁がアーチ状となる起点Ｓは、前記ドラム１５の回転中心ＤＣから前記鍔部１８で最も高い最高位置ＤＳまでの間に設定されている。このため、ドラム１５端部の鍔部１８，１８側に集中して巻き取られたホース１４を、前記鍔部１８，１８で最も高い前記最高位置ＤＳに到達する前に、アーチ状の開口縁に沿って中心側へ案内することができる。
【００７９】
なお、本実施の形態にあっては、開口縁がアーチ状となる起点Ｓが出入口３３の下縁に設定された場合を例に挙げて説明したが、これに限定されるものでは無く、図１１に示すように、出入口３３の下縁より垂直に立ち上がる直線部１０１を設け、その上端からアーチ状のアーチ部１０２を形成しても良い。
【００８０】
この場合、前記直線部１０１と前記アーチ部１０２との境の起点Ｓを前記ドラム１５の回転中心ＤＣから前記鍔部１８で最も高い最高位置ＤＳまでの間に設定する。
【００８１】
また、前記出入口３３は、前述した形状に限定されるものではなく、図１２の（ａ）に示すように、半円形であったり、図１２の（ｂ）に示すように、三角形状であっても良い。
【００８２】
さらに、前記出入口３３を三角形状に形成する際には、図１３の（ａ）に示すように、上部の二辺１１１，１１１を開口中心側に湾曲したＲ形状としても良く、その一例として１００Ｒ〜３００Ｒの範囲に設定する。
【００８３】
加えて、前記出入口３３を三角形状に形成する場合、図１３の（ｂ）に示すように、上部の二辺１２１，１２１を開口中心より外側へ向けて湾曲したＲ形状としても良く、その一例として１００Ｒ〜３００Ｒの範囲に設定する。
【図面の簡単な説明】
【００８４】
【図１】本発明の一実施の形態を示す斜視図である。
【図２】同実施の形態の側面図である。
【図３】図２のＡ−Ａ線に沿った断面図である。
【図４】同実施の形態のホースを示す断面図である。
【図５】同実施の形態の平面図である。
【図６】図５のＢ−Ｂ線に沿った断面図である。
【図７】同実施の形態の正面図である。
【図８】同実施の形態の底面図である。
【図９】図５のＣ−Ｃ断面に相当する図である。
【図１０】同実施の形態の折り畳み状態を示す要部の断面図である。
【図１１】同実施の形態の変形例を示す図である。
【図１２】他の変形例を示す図である。
【図１３】他の変形例を示す図である。
【符号の説明】
【００８５】
１    ホースリール
１１    本体ケース（フレーム）
１４    ホース
１５    ドラム
１７    胴部
１８    鍔部
１９    巻取位置
３３    出入口
ＤＣ    回転中心
ＤＳ    最高位置
Ｈ１    幅寸法
Ｈ２    寸法
Ｓ    起点
【図１】
2006312556.tif 000003
【図２】
2006312556.tif 000004
【図３】
2006312556.tif 000005
【図４】
2006312556.tif 000006
【図５】
2006312556.tif 000007
【図６】
2006312556.tif 000008
【図７】
2006312556.tif 000009
【図８】
2006312556.tif 000010
【図９】
2006312556.tif 000011
【図１０】
2006312556.tif 000012
【図１１】
2006312556.tif 000013
【図１２】
2006312556.tif 000014
【図１３】
2006312556.tif 000015